(57)【要約】【課題】持ち運び時や未使用時の利便性を高めながら、長い材料に対する作業を実行することができる作業机を構成する技術を提供する。【解決手段】机１００の天板１１１に取り付けられる取付部材２１１と２１２の間には、枠部材２１８が取り付けられる。枠部材２２１と２２５は、それぞれの係止溝２２１ａと２２５ａが枠部材２１８に係止される。また、枠部材２２１と２２５の間には、移動用ローラー２４２が回転可能に取り付けられる。天板１１１に取り付けられる取付部材２１３と２１４の間には、移動用ローラー２５２が回転可能に取り付けられる。シート２６０は、移動用ローラー２５２の外周面の一部に当接するように、天板１１１の上面１１１ａ側と下面１１１ｂ側の間に配置される。シート２６０の両端部の間には、接続部材２６３と張力調節部材２６６が接続される。接続部材２６３は、移動用ローラー２４２の外周面の一部が当接するように配置される。【選択図】図１
2012239603.tif 000002
【特許請求の範囲】
【請求項１】
天板と脚部材を有する机に取り付けられ、前記机とともに作業机を構成するシート移動装置であって、
第１の枠部材と、第２の枠部材と、第１の支持部材と、第２の支持部材と、第１のローラーと、第２のローラーと、シートと、接続部材を備え、
前記第１の枠部材と前記第２の枠部材は、前記天板の一つの側面側において、当該一つの側面が延びている方向に沿って離れた箇所から、当該一つの側面が延びている方向と交差する一方向に沿って延びるように前記天板に取り付けられ、
前記第１の支持部材は、前記第１の枠部材を支持するように前記第１の枠部材に取り付けられ、
前記第２の支持部材は、前記第２の枠部材を支持するように前記第２の枠部材に取り付けられ、
前記第１のローラーは、前記第１の枠部材と前記第２の枠部材の間に回転可能に取り付けられ、
前記第２のローラーは、前記天板の、前記一方向に沿って前記一つの側面と対向する他の側面側において、前記天板に回転可能に取り付けられ、
前記シートは、前記第２のローラーの外周面の一部に当接するように、前記天板の上面側と下面側の間に配置され、
前記接続部材は、前記第１のローラーの外周面の一部に当接するように、前記天板の上面側に配置される前記シートの一方側の端部と前記天板の下面側に配置される前記シートの他方側の端部の間に接続されることを特徴とするシート移動装置。
【請求項２】
請求項１に記載のシート移動装置であって、
さらに、第１のシート端部固定部材と、第２のシート端部固定部材と、第３のローラーを有する第１の案内部材と、第４のローラーを有する第２の案内部材を備え、
前記第１のシート端部固定部材は、前記シートの前記一方側の端部に固定され、
前記第２のシート端部固定部材は、前記シートの前記他方側の端部に固定され、
前記第１の案内部材は、前記第１のシート端部固定部材の、前記第１の枠部材と対向する側に、前記第３のローラーが前記第１の枠部材の外面に沿って転動可能に取り付けられ、
前記第２の案内部材は、前記第１のシート端部固定部材の、前記第２の枠部材と対向する側に、前記第４のローラーが前記第２の枠部材の外面に沿って転動可能に取り付けられ、
前記接続部材は、前記第１のシート端部固定部材と前記第２のシート端部固定部材の間に接続されることを特徴とするシート移動装置。
【請求項３】
請求項２に記載のシート移動装置であって、
前記第１のシート端部固定部材は、第１の端部固定部材と第２の端部固定部材により構成され、
前記シートの前記一方側の端部は、前記第１の端部固定部材の一部と前記第２の端部固定部材の間に挟持され、
前記接続部材は、前記第１の端部固定部材の、前記一部を除く箇所と、前記第２のシート端部固定部材の間に接続されることを特徴とするシート移動装置。
【請求項４】
請求項１〜３のいずれかに記載のシート移動装置であって、
第１の取付部材と、第２の取付部材と、第３の取付部材と、第４の取付部材と、第３の枠部材を備え、
前記第１の取付部材と前記第２の取付部材は、前記天板の前記一つの側面側において、前記一つの側面が延びている方向に沿って離れた箇所で前記天板に取り付けられ、
前記第３の枠部材は、前記第１の取付部材と前記第２の取付部材の間に取り付けられ、
前記第１の枠部材は、前記第３の枠部材の、前記第１の取付部材側に取り付けられ、
前記第２の枠部材は、前記第３の枠部材の、前記第２の取付部材側に取り付けられ、
前記第３の取付部材と前記第４の取付部材は、前記天板の前記他の側面側において、前記他の側面が延びている方向に沿って離れた箇所で前記天板に取り付けられ、
前記第２のローラーは、前記第３の取付部材と前記第４の取付部材の間に回転可能に取付けられることを特徴とするシート移動装置。
【請求項５】
請求項４に記載のシート移動装置であって、
駆動装置を備え、
前記駆動装置は、前記第３の取付部材と前記第４の取付部材の一方に取り付けられる本体部材と、前記本体部材に回転可能に取り付けられ、前記第２のローラーの外周面に当接する当接面を有する第５のローラーと、前記第５のローラーを回転させるハンドルを有していることを特徴とするシート移動装置。
【請求項６】
請求項１〜５のいずれかに記載のシート移動装置であって、
張力調節部材を備え、
前記接続部材は、前記張力調節部材を介して前記シートの前記一方側の端部と前記シートの前記他方側の端部の間に接続されることを特徴とするシート移動装置。
【請求項７】
天板と支持脚を有する机と、請求項１〜６のいずれかに記載のシート移動装置により構成される作業机。
【発明の詳細な説明】
【技術分野】
【０００１】
本発明は、長い材料（例えば、長い書道紙や絵画紙）に対する作業を実行する際に使用することができる作業机を構成する技術に関する。
【背景技術】
【０００２】
書道や絵画等においては、長い材料（例えば、長い書道紙や絵画紙）を用いることがある。このような長い材料に対して文字を書く作業や絵を描く作業は、家庭や作業所等に設けられている通常の机を用いて実行するのが難しい。従来、長い材料に対する作業を実行する際に使用することができる作業机として、特許文献１に記載されている作業机が提案されている。
【先行技術文献】
【特許文献】
【０００３】
【特許文献１】特開平９−１４０４６６号公報
【発明の概要】
【発明が解決しようとする課題】
【０００４】
特許文献１に記載されている作業机は、枠体、台板、駆動ローラー、従動ローラー、シート、脚部等が一体に組み付けられている。このため、持ち運びが不便であり、また、不使用時に大きな収納スペースを必要とする。
本発明は、このような点に鑑みて創案されたものであり、持ち運び時や不使用時の利便性を高めながら、長い材料に対する作業を実行することができる作業机を構成する技術を提供することを目的とする。
【課題を解決するための手段】
【０００５】
一つの発明は、天板と脚部材を有する机に着脱可能に取り付けられ、机とともに作業机を構成するシート移動装置である。なお、「着脱可能」という記載は、壊すことなく取り付けおよび取り外すことができることを表す。本発明のシート移動装置は、長い材料（例えば、長い書道紙や絵画紙）が載置されるシートを、机の天板の上面に沿って一方向に移動させることができる。本発明のシート移動装置を取り付ける机としては、家庭や作業所等に設けられている机、好適には、一方向に沿って対向する側面を有する机を用いることができる。一方向に沿って対向する側面は、平面であるのが好ましいが、曲面であってもよい。また、天板の上面が水平線に平行（略平行を含む）に配置される机や、天板の上面が水平線に対して傾斜して配置される机を用いることもできる。
本発明のシート移動装置は、第１および第２の枠部材、第１および第２の支持部材、第１および第２のローラー、シート、接続部材を備えている。
第１および第２の枠部材は、天板の一つの側面側において、当該一つの側面が延びている方向に沿って離れた箇所から、当該一つの側面が延びている方向に交差する一方向に沿って延びるように、天板に着脱可能に取り付けられる。「一つの側面が延びている方向に交差する方向」は、典型的には、一つの側面が延びている方向に直交（略直交を含む）する方向が対応する。第１および第２の枠部材を天板に取り付ける方法としては、第１および第２の枠部材を天板に直接に取り付ける方法や、取付部材を介して天板に取り付ける方法を用いることができる。
第１および第２の支持部材は、第１および第２の枠部材を支持する。これにより、第１の枠部材は机（机の脚部材）と第１の支持部材により支持され、第２の枠部材は机（机の脚部材）と第２の支持部材により支持される。なお、第１および第２の支持部材としては、第１および第２の枠部材の高さを調節可能な、高さ調節部材を有する支持部材を用いるのが好ましい。
第１のローラーは、第１の枠部材と第２の枠部材の間に回転可能に取り付けられる。好適には、第１および第２の枠部材の一方の端部側が、天板に着脱可能に取り付けられ、第１および第２の枠部材の他方の端部側に、第１のローラーが第１および第２の枠部材に着脱可能、且つ回転可能に取り付けられる。また、第２のローラーは、天板の、一方向に沿って一つの側面と対向する他の側面側において、天板に回転可能に取り付けられる。第１のローラーを第１の枠部材と第２の枠部材の間に回転可能に取り付ける方法や、第２のローラーを天板に回転可能に取り付ける方法としては、種々の方法を用いることができる。例えば、ローラーと、ローラーを回転可能に支持するローラー支持部材からなる回転体を用い、回転体のローラー支持部材を第１および第２の枠部材あるいは天板に取り付ける方法を用いることができる。
シートは、一方向に沿って対向する両端部を有し、第２のローラーの外周面の一部に当接するように、一方向に沿って対向する両端部が天板の上面側と下面側の間に配置される。典型的には、シートは、長方形に形成され、短辺の一方が天板の上面側に配置され、他方が天板の下面側に配置される。また、接続部材は、第１のローラーの外周面の一部に当接するように、天板の上面側に配置されるシートの一方側の端部と、天板の下面側に配置されるシートの他方側の端部の間に、着脱可能に接続される。これにより、長い材料が載置されるシートを天板の上面に一方向に沿って移動させながら、天板の上面を作業台として、長い材料に対する作業（例えば、文字を書く作業や絵を描く作業）を実行することができる。接続部材をシートの両端部の間に接続する方法としては、直接に接続する方法や、取付部材を介して取り付ける方法を用いることができる。なお、シートの表面に載置される長い材料に対する作業を天板の上面上で容易に実行することができるようにするために、天板の上面に当接した状態でシートが移動する（滑動）するようにシートを配置するのが好ましい。第１および第２の枠部材やシートの長さ（一方向に沿った長さ）は、シートの表面に載置される材料の長さに対応して設定される。例えば、作業が完了した材料を第１のローラーと第２のローラーの間に配置することができるように設定される。また、第１および第２の枠部材を構成する複数の部分枠部材を用意し、シートに載置される材料の長さに応じて、第１および第２の枠部材を構成する部分枠部材の数を変更するようにしてもよい。
本発明のシート移動装置は、家庭や作業所等に設けられている机を用いて、長い材料に対する作業を実行可能な作業机を構成することができる。このため、作業机の不使用時には、シート移動装置を机から取り外して収容することができる。この場合、シート移動装置を収容する収容スペースは小さくてすむ。また、家庭や作業所等に設けられている机を用いることができるため、シート移動装置のみを持ち運べばよく、持ち運びが容易である。また、シートと、シートの両端部の間に接続部材を接続した状態で第１のローラーと第２のローラーの間に配置しているため、シートと第１のローラーと第２のローラーの間に無端帯状に配置した場合に比べて、第１のシートを容易に交換することができる。
【０００６】
一つの発明の他の形態は、さらに、第１および第２のシート端部固定部材、第３のローラーを有する第１の案内部材、第４のローラーを有する第２の案内部材を備えている。
第１および第２のシート端部固定部材は、天板の上面側に配置されるシートの一方側の端部および天板の下面側に配置される他方側の端部に、着脱可能に固定される。第１および第２のシート端部固定部材としては、好適には、シートの一方側の端部および他方側の端部が延びている方向に沿って延びるように配置される板状部材が用いられる。第１および第２のシート端部固定部材の長さは、好適には、シートの両端部の長さ以上に設定されるが、シートの両端部の長さ未満であってもよい。
第１の案内部材は、第１のシート端部固定部材の、第１の枠部材と対向する側に、第３のローラーが第１の枠部材の外面に沿って転動可能に取り付けられる。また、第２の案内部材は、第１のシート端部固定部材の、第２の枠部材と対向する側に、第４のローラーが第２の枠部材の外面に沿って転動可能に取り付けられる。第３および第４のローラーは、好適には、第１および第２の外面のうち、第１および第２の枠部材が対向する側の外面と反対側の外面に転動可能に取り付けられる。なお、第１および第２の案内部材のいずれかの外面が第１および第２の枠部材の外面に当接した状態で移動する（滑動する）場合には、第１および第２の案内部材の当該外面に、布やゴム等の摩擦力低減部材を取り付けあるいは摩擦力低減剤を塗布するのが好ましい。
接続部材は、第１および第２のシート端部固定部材の間に接続される。接続部材を第１および第２のシート端部固定部材の間に接続する方法としては、直接接続する方法や、取付部材を介して接続する方法を用いることができる。
本形態のシート移動装置は、シートの両端部にシート端部固定部材を固定しているため、シートの両端部を強い力で引っ張ることができる。また、一方側のシート端部固定部材に案内部材を設けているため、シートを一方向（第１および第２の枠部材が延びている方向）に沿って容易に移動させることができる。また、シートを容易に交換することができる。
【０００７】
一つの発明の異なる他の形態では、第１のシート端部固定部材は、第１および第２の端部固定部材により構成されている。そして、シートの一方側の端部は、第１の端部固定部材の一部と第２の端部固定部材の間に着脱可能に挟持される。また、接続部材は、第１の端部固定部材の、シートの一方側の端部を挟持する一部と異なる箇所と、第２のシート端部固定部材の間に接続される。好適には、第１のシート端部固定部材において、シートの一方側の端部を挟持（固定）する箇所は第２のローラー側に設定され、接続部材に接続される箇所は第１のローラー側に設定される。なお、「第１の端部固定部材の一部と第２の端部固定部材の間に挟持される」構成には、「第１の端部固定部材の一部と第２の端部固定部材の全部の間に挟持される」構成および「第１の端部固定部材の一部と第２の端部固定部材の一部の間に挟持される」構成が含まれる。
本形態では、第１の端部固定部材の、シートの一方側の端部を挟持する一部と異なる箇所に接続部材を接続しているため、第１の端部固定部材と接続部材を接続する部材が、第１の端部固定部材と第２の端部固定部材の間にシートの端部を挟持する領域に干渉するのを防止することができる。これにより、例えば、シートの一方側の端部を挟持している領域において、第１の端部固定部材または第２の端部固定部材と保持部材の間に材料の端部を挟持して保持するために保持部材を第１の端部固定部材または第２の端部固定部材上に配置する際に、第１の端部固定部材と接続部材を接続する部材が邪魔にならない。
なお、本形態では、第２のシート端部固定部材を、第１のシート端部固定部材と同様に、第３および第４の端部固定部材により構成し、シートの他方側の端部を、第３の端部固定部材の一部と第４の端部固定部材との間に挟持（固定）し、接続部材を、第３の端部固定部材の、シートの他方側の端部を挟持する箇所を除く箇所と、第４の端部固定部材の間に接続してもよい。
【０００８】
一つの発明のさらに異なる他の形態は、さらに、第１〜第４の取付部材、第３の枠部材を備えている。
第１および第２の取付部材は、天板の一つの側面側（第１のローラーが配置される側）において、当該一つの側面が延びている方向に沿って離れた箇所で天板に着脱可能に取り付けられる。第３の枠部材は、第１および第２の取付部材に着脱可能に取り付けられる。第３の枠部材を第１および第２の取付部材に着脱可能に取り付ける方法としては、種々の方法を用いることができる。例えば、本体部と、本体部の両側に形成され、本体部より外径が小さい端部を有する第３の枠部材を用い、第３の枠部材の両端部を、第１および第２の枠部材に形成されている穴に挿入する方法を用いることができる。そして、第１および第２の枠部材は、第３の枠部材に着脱可能に取り付けられる。第１および第２の枠部材を第３の枠部材に着脱可能に取り付ける方法としては、種々の方法を用いることができる。例えば、第１および第２の枠部材の一方の端部側に、第１および第２の枠部材が延びている方向と交差する方向（好適には、直交する方向）に沿って係止溝を形成し、この係止溝を第３の枠部材に係止させる（係止溝内に第３の枠部材を挿入する）方法を用いることができる。
第３および第４の取付部材は、天板の他の側面側（第２のローラーが配置される側）において、当該他の側面が延びている方向に沿って離れた箇所で天板に着脱可能に取り付けられる。そして、第２のローラーは、第３および第４の取付部材の間に着脱可能、且つ回転可能に取り付けられる。
第１〜第４の取付部材を天板に着脱可能に取り付ける方法としては、種々の方法を用いることができる。例えば、第１〜第４の取付部材に凹部を形成し、第１〜第４の取付部材の凹部に天板の端部を挿入した後、第１〜第４の取付部材と固定部材の間に天板を挟持する方法を用いることができる。
本形態のシート移動装置は、第１および第２の枠部材や第２のローラーを、天板に容易に取り付けることができ、また、天板から容易に取り外すことができる。
【０００９】
一つの発明のさらに異なる他の形態は、さらに、駆動装置を備えている。
駆動装置は、本体部材と、本体部材に回動可能に取り付けられる第５のローラーと、第５のローラーを回転させるハンドルを有している。第５のローラーは、第２のローラーの外周面に当接する当接面を有している。そして、駆動装置の本体部材は、第５のローラーの当接面が第２のローラーの外周面に当接するように、第３および第４の取付部材の一方に着脱可能に取り付けられる。第５のローラーとしては、当接面と第２のローラーの外周面との間の摩擦力によって第２のローラーを回転させることができるローラーが用いられる。例えば、ゴムで形成されたローラーや、当接面に凹凸加工が施されているローラー等が用いられる。
本形態のシート移動装置は、ハンドルを操作することによってシートを容易に移動させることができる。
【００１０】
一つの発明のさらに異なる他の形態は、さらに、張力調節部材を備えている。
接続部材は、張力調節部材を介してシートの一方側の端部および他方側の端部の間に接続される。張力調節部材としては、シートの一方側の端部および他方側の端部を第１のローラーの方向に引っ張る力を調節可能な適宜の張力調節部材を用いることができる。例えば、接続部材とシートの一方側の端部あるいは他方側の端部との間の間隔を調節することによってシートの一方側の端部および他方側の端部を第１のローラーの方向に引っ張る力を調節可能な張力調節部材を用いることができる。張力調節部材を介して接続部材をシートの一方側の端部および他方側の端部の間に接続する方法としては、種々の方法を用いることができる。
本形態のシート移動装置は、シートに適切な張力を加えることができるため、シートの表面に載置される材料の長さ等に応じた任意の長さのシートを用いることができる。
【００１１】
他の発明は、天板と支持脚を有する机と、前述したシート移動装置のいずれかにより構成される作業机である。
本発明の作業机は、前述したシート移動装置と同様の効果を有する。
【発明の効果】
【００１２】
本発明のシート移動装置は、家庭や作業所等に設けられている机を用いて作業机を構成することができる。これにより、作業机の不使用時には、シート移動装置のみを収納すればよいため、収容スペースは小さくてすむ。また、シート移動装置のみを持ち運べばよいため、持ち運びが容易である。
また、本発明の作業机は、家庭や作業所等に設けられている机を用いて構成することができるため、作業机を安価、容易に構成することができる。
【図面の簡単な説明】
【００１３】
【図１】本発明のシート移動装置２００および作業机１０の一実施の形態の概略図である。
【図２】図２のＩＩ−ＩＩ線矢視図である。
【図３】取付部材２１１（２１２）の斜視図である。
【図４】図３のＩＶ線矢視図である。
【図５】取付部材２１３の斜視図である。
【図６】図５のＶＩ線矢視図である。
【図７】取付部材２１４の矢視図である。
【図８】図７のＶＩＩＩ線矢視図である。
【図９】枠部材２１８の斜視図である
【図１０】枠部材２１８を取付部材２１１と２１２の間に取り付けた状態を示す図である。
【図１１】シート移動装置２００の部分構成図である。
【図１２】回転体２４０の斜視図である。
【図１３】回転体２５０の斜視図である。
【図１４】駆動装置２８０の斜視図である。
【図１５】図１５のＸＶ線矢視図である。
【図１６】駆動装置２８０を取付部材２１４に取り付けた状態を示す図である。
【図１７】シート端部固定部材を示す図である。
【図１８】シート端部固定部材２６１をシート２６０の一方側の端部に固定した状態を示す図である。
【図１９】シート端部固定部材２６２をシート２６０の他方側の端部に固定した状態を示す図である。
【発明を実施するための形態】
【００１４】
以下に、本発明の実施の形態を、図面を参照して説明する。図１には、一実施の形態のシート移動装置２００および作業机１０の概略構成が示されており、図２には、図１のＩＩ−ＩＩ線矢視図が示されている。図１および図２に示されている本実施の形態の作業机１０は、長い書道紙に文字を書く作業を実行する際に好適に用いることができる作業机である。勿論、本実施の形態の作業机１０は、長い書道紙に文字を書く作業に限定されず、長い書道紙や絵画紙に絵を描く作業等の長い材料に対する種々の作業を実行する際に用いることができる。
なお、本明細書では、詳しくは後述するが、図１において、机１００の右側に、シート移動装置２００の枠部材２２１、２２５、２１８、回転体２４０（移動用ローラー４５２）等が配置され、机１００の左側に、シート移動装置２００の回転体２５０（移動用ローラー２５２）等が配置され、作業者は、机１００の左側で作業を行い、シート２６０は、左右方向に移動可能である。したがって、以下では、机１００の左側で作業する作業者から見た状態を基準に、図１に示されているｘ軸方向を「前後方向」あるいは「一方向」といい、ｙ軸方向を「左右方向」といい、ｚ軸方向を「上下方向」という。また、ｘ軸方向に沿って左側を「後側」、右側を「前側」といい、ｙ軸方向に沿って手前側を「右側」、奥側を「左側」といい、ｚ軸方向に沿って上側を「上側」、下側を「下側」という。また、「着脱可能」という記載は、壊すことなく取り付け（固定）および取り外すことができる状態を表す。
【００１５】
本実施の形態の作業机１０は、机１００とシート移動装置２００により構成される。
本実施の形態では、机１００は、上面１１１ａ、下面１１１ｂ、側面１１１ｃ〜１１１ｆを有する四角形の天板１１１と、四本の脚部材１１２〜１１５を備えている。なお、机１００としては、上面および一方向に沿って対向する側面を有する天板と脚部材を備えている種々の机を用いることができる。机１００としては、好適には、家庭や作業所等に設けられている机が用いられる。材料に対する作業は、材料を水平（略水平を含む）に配置した状態で実行することもあるし、材料を水平線に対して傾斜させた状態で実行することもある。このため、机１００としては、天板の上面が水平線に平行（略平行を含む）に配置される机や、天板の上面が水平線に対して傾斜して配置される机を用いることもできる。また、一方向に沿って対向する側面は、平面であるのが好ましいが、曲面であってもよい。
【００１６】
シート移動装置２００は、机１００（具体的には、天板１１１）に着脱可能に取り付けられ、机１００の天板１１１の上面１１１ａに沿ってシート２６０を一方向（前後方向）に沿って移動させることができる。
以下に、シート移動装置２００を構成する各構成要素について、図３〜図１９を参照しながら説明する。
【００１７】
取付部材２１１および２１２は、後述する枠部材２２１および２２５の一端側を天板１１１に取り付けるためのものである。取付部材２１１と２１２は、天板１１１の側面１１１ｃ側において、側面１１１ｃが延びている方向（左右方向）に沿って離れている箇所で天板１１１に取り付けられる。
取付部材２１１と２１２は同じ構成であるため、取付部材２１１の構成を、図３および図４を参照して説明する。図３は、取付部材２１１の斜視図であり、図４は、図３のＩＶ線矢視図である。
取付部材２１１は、左右方向（ｙ軸方向）に貫通している凹部２１１ａを有している。凹部２１１ａは、壁面２１１ｄ、２１１ｅ、２１１ｆにより形成される。また、左右方向に形成された取付穴２１１ｃと、上下方向（ｚ軸方向）に形成された取付穴２１１ｆを有している。取付穴２１１ｃは、後述する枠部材２１８を取り付けるためのものである。取付部材２１１は、凹部２１１ａに、天板１１１の側面１１１ｃ側の端部を挿入した状態で、取付穴２１１ｂに固定部材２１６を挿入し、固定部材２１６と壁面２１１ｄの間に天板１１１を挟持することによって、天板１１１に取り付けられる。
天板１１１の側面１１１ｃが、本発明の「一つの側面」に対応する。また、取付部材２１１が、本発明の「第１の取付部材」に対応し、取付部材２１２が、本発明の「第２の取付部材」に対応する。
【００１８】
取付部材２１３および２１４は、後述する回転体２５０を天板１１１に取り付けるためのものである。取付部材２１３と２１４は、天板１１１の側面１１１ｄ側において、側面１１１ｄが延びている方向（左右方向）に沿って離れている箇所で天板１１１に取り付けられる。
取付部材２１３は、図５および図６に示されている。図５は、取付部材２１３の斜視図であり、図６は、図５のＶＩ線矢視図である。取付部材２１３は、回転体２５０を取り付けるための取付穴２１３ｃを除いて、取付部材２１１および２１２と同様の構成である。
取付部材２１４は、図７および図８に示されている。図７は、取付部材２１４の斜視図であり、図８は、図７のＶＩＩＩ線矢視図である。取付部材２１４は、回転体２５０を取り付けるための取付穴２１４ｃと、後述する駆動装置２８０（本体部材２８１）を取り付けるための取付穴２１４ｇおよび２１４ｈを除いて、取付部材２１１および２１２と同様の構成である。取付穴２４１ｇおよび２１４ｈは、前後方向（ｘ軸方向）に沿って形成されている。
側面１１１ｄが、本発明の「一方向に沿って一つの側面と対向する他の側面」に対応する。また、取付部材２１３が、本発明の「第３の取付部材」に対応し、取付部材２１４が、本発明の「第４の取付部材」に対応する。
【００１９】
取付部材２１１と２１２の間に取り付けられる枠部材２１８が、図９および図１０に示されている。図９は、枠部材２１８の斜視図であり、図１０は、枠部材２１８が取付部材２１１と２１２の間に着脱可能に取り付けられている状態を示す図である。
枠部材２１８は、本体部２１８ａと、本体部２１８ａの両側に設けられ、本体部２１８ａより外径が小さい端部２１８ｂおよび２１８ｄを有している。本実施の形態では、本体部２１８ａ、端部２１８ｂおよび２１８ｄは、外周面の断面が円形に形成されている。勿論、本体部２１８ａ、端部２１８ｂおよび２１８ｄの外周面の形状は適宜設定可能である。端部２１８ｂおよび２１８ｄには、左右方向（ｙ軸方向）に沿って取付穴２１８ｃおよび２１８ｅが形成されている。枠部材２１８は、端部２１８ｂおよび２１８ｃが取付部材２１１の取付穴２１１ｃおよび取付部材２１２の取付穴２１２ｃに挿入された状態で、端部２１８ｂおよび２１８ｄに形成されている取付穴２１８ｃおよび２１８ｅそれぞれに固定部材２１９を挿入することによって、取付部材２１１および２１２に取り付けられる。
枠部材２１８が、本発明の「第３の枠部材」に対応する。
【００２０】
枠部材２１８に取り付けられる枠部材２２１および２２５、枠部材２２１および２２５を支持する支持部材２３１および２３２等が図１１に示されている。なお、図１１には、シート移動装置２００を構成する構成部品のうち、天板１１１の側面１１１ｃ側（前側）に配置される構成部品が示されている。
枠部材２２１および２２５は、一つの枠部材により構成することもできるが、長さを短くして持ち運びおよび収納を容易にするために、複数の部分枠部材により構成することもできる。本実施の形態では、枠部材２２１は、２つの部分枠部材２２２と２２３により構成され、枠部材２２５は、２つの部分枠部材２２６と２２７により構成されている。部分枠部材２２２と２２３は接続部材２２４により接続され、部分枠部材２２６と２２７は接続部材２２８により接続される。例えば、接続部材２２４の一方側の端部および他方側の端部を、部分枠部材２２２および２２３の内部空間に挿入する。そして、固定部材を、接続部材２２４の取付穴２２４ａと部分枠部材２２２の取付穴２２２ｃおよび接続部材２２４の取付穴２２４ｂと部分枠部材２２３の取付穴２２３ｃに通すことによって、部分枠部材２２２と２２３を接続する。
また、枠部材２２１および２２５には、枠部材２２１および２２５を枠部材２１８に取り付けるための係止溝２２２ａおよび２２６ａ、後述する回転体２４０（移動用ローラー２４２）を枠部材２２１と２２５の間に取り付けるための係止溝２２３ａおよび２２７ａ、補助枠部材２３４や２３５を取り付けるための取付穴２２２ｂ、２２３ｂ、２２６ｂおよび２２７ｂが形成されている。好適には、係止溝２２２ａおよび２２６ａは、枠部材２２１および２２５の一端側（後側）に、枠部材２２１が延びている方向と交差する方向に沿って形成され、係止溝２２３ａおよび２２７ａは、枠部材２２１および２２５の他端側（前側）に、枠部材２２５が延びている方向と交差する方向に沿って形成され、取付穴２２２ｂ、２２３ｂ、２２６ｂおよび２２７ｂは、係止溝２２２ａおよび２２６ａと係止溝２２３ａおよび２２７ａの間に、枠部材２２１および２２５が延びている方向と交差する方向に沿って形成される。本実施の形態では、枠部材２２１を構成する部分枠部材２２２および枠部材２２５を構成する部分枠部材２２６の一端側に係止溝２２２ａおよび２２２６ａが形成され、他端側に取付穴２２２ｃおよび２２６ｃが形成されている。また、枠部材２２１を構成する部分枠部材２２３および枠部材２２５を構成する部分枠部材２２７の一端側に取付穴２２３ｂおよび２２７ｂが形成され、他端側に係止溝２２３ａおよび２２７ａが形成されている。
そして、枠部材２２１（部分枠部材２２２）および枠部材２２５（部分枠部材２２６）の係止溝２２２ａおよび２２６ａに枠部材２１８（本体部２１８ａ）が挿入されることによって、枠部材２２１および２２５の一方側の端部が枠部材２１８に着脱可能に取り付けられる。本実施の形態では、枠部材２１８が第１および第２の枠部材２１１と２１５の間に左右方向に配置され、枠部材２２１および２２５の係止溝２２２ａおよび２２６ａが枠部材２２１が延びている方向と直交する方向に沿って形成されているため、枠部材２２１および２２５は、天板１１１の側面１１１ｃ側において、側面１１１ｃが延びている方向（左右方向）に沿って離れた箇所から、側面１１１ｃが延びている方向（左右方向）と直交する一方向（前後方向）に沿って延びるように、天板１１１に着脱可能に取り付けられる。なお、枠部材２２１および２２５は、側面１１１ｃが延びている方向に直交する方向に限定されず、側面１１ｃが延びている方向に交差する方向に延びるように取り付けられればよい。また、係止溝２２２ａおよび２２６ａの形状は、枠部材２１８（本体部２１８ａ）が挿入可能な適宜の形状に形成される。
枠部材２２１が、本発明の「第１の枠部材」に対応し、部分枠部材２２２および２２３が、本発明の「第１の枠部材を構成する部分枠部材」に対応する。また、枠部材２２５が、本発明の「第２の枠部材」に対応し、部分枠部材２２６および２２７が、本発明の「第２の枠部材を構成する部分枠部材」に対応する。
【００２１】
枠部材２２１および２２５には、枠部材２２１および２２５を支持するための支持部材２３１および２３２が取り付けられる。好適には、支持部材２３１および２３２は、枠部材２２１および２２５の他方の端部側に取り付けられる。本実施の形態では、支持部材２３１は、枠部材２２１を構成する部分枠部材２２３の他端側に、取付補助部材２３１ｂおよび２３１ｃを用いて取り付けられる。また、支持部材２３２は、枠部材２２５を構成する部分枠部材２２７の他端側に、取付補助部材２３２ｂおよび２３２ｃを用いて取り付けられる。支持部材２３１および２３２には、枠部材２２１および２２５の高さを調節する高さ調節部材２３１ａおよび２３２ａが設けられている。なお、支持部材２３１および２３２を枠部材２２１および２２５に取り付ける方法としては種々の方法を用いることができる。
また、支持部材２３１と２３２の間には、補強部材２３３が取り付けられる。補強部材は、必要に応じて適宜の箇所に取り付けられる。
支持部材２３１が、本発明の「第１の支持部材」に対応し、支持部材２３２が、本発明の「第２の支持部材」に対応する。
【００２２】
枠部材２２１と２２５の間に取り付けられる回転体２４０が、図１２に示されている。回転体２４０は、ローラー支持部材２４１と、ベアリング２４３および２４４によってローラー支持部材２４１に回転可能に支持されている移動用ローラー２４２を有している。ローラー支持部材２４１は、本体部２４１ａと、本体部２４１ａの両側に設けられ、本体部２４１ａより外径が小さい端部２４１ｂおよび２４１ｄを有している。端部２４１ｂおよび２４１ｄには、左右方向（ｙ方向に）沿って取付穴２４１ｃおよび２４１ｅが形成されている。
回転体２４０のローラー支持部材２４１の端部２４１ｂおよび２４１ｄは、枠部材２２１（部分枠部材２２３）および枠部材２２５（部分枠部材２２７）に形成されている係止溝２２３ａおよび２２７ａに挿入される。そして、固定部材２４５が取付穴２４１ｃおよび２４１ｅに挿入されることによって、回転体２４０のローラー支持部材２４１が枠部材２２１と２２５の間に固定される。これにより、回転体２４０の移動用ローラー２４２は、枠部材２２１と２２５の間に回転可能に取り付けられる。なお、係止溝２２３ａおよび２２７ａの形状は、回転体２４０のローラー支持部材２４１の端部２４１ｂおよび２４１ｄが挿入可能な適宜の形状に形成される。移動用ローラー２４２を枠部材２２１と２２５の間に回転可能に取り付ける方法としては、これ以外の種々の方法を用いることができる。
移動用ローラー２４２が、本発明の「第１のローラー」に対応する。
【００２３】
ここで、シート移動装置２００が取り付けられる机１００の天板１１１の面積（上面１１１ａの面積）が小さい場合には、後述するシート２６０の表面に載置される材料２０に対する作業を実行する作業領域が狭くなる。そこで、本実施の形態では、作業領域を広げる補助台２３８を取り付けるための補助台支持部材２３６および２３７が枠部材２２１および２２５に取り付けられている。本実施の形態では、補助台支持部材２３６および２３７は、断面がＬ字状を有しており、補助台支持部材２３６と２３７の間に補助台２３８を支持することができるように枠部材２２１および２２５に取り付けられている。なお、補助台支持部材２３６および２３７は、補助台２３８が天板１１１の上面１１１ａの近傍に（好適には隣接して）配置されるように枠部材２２１および２２５に取り付けられる。
【００２４】
取付部材２１３と２１４の間に取り付けられる回転体２５０が、図１３に示されている。回転体２５０は、回転体２４０と同様に、ローラー支持部材２５１と、ベアリング２５３および２５４によってローラー支持部材２５１に回転可能に支持されている移動用ローラー２５２を有している。ローラー支持部材２５１は、本体部２５１ａと、本体部２５１ａの両側に設けられ、本体部２５１ａより外径が小さい端部２５１ｂおよび２５１ｄを有している。本実施の形態では、後述する駆動装置２８０が取付部材２１４に取り付けられるため、端部２５１ｂにのみ、左右方向（ｙ方向に）沿って取付穴２５１ｃが形成されている。
回転体２５０のローラー支持部材２５１の端部２５１ｂおよび２５１ｄは、取付部材２１３および２１４の取付穴２１３ｃおよび２１４ｃに挿入される（図１６参照）。そして、固定部材２５５が取付穴２５１ｃに挿入されることによって、回転体２５０（ローラー支持部材２５１）が取付部材２１３と２１４の間に固定される。これにより、回転体２５０の移動用ローラー２５２は、取付部材２１３と２１４の間に回転可能に取り付けられる。なお、移動用ローラー２５２を取付部材２１３と２１４の間に回転可能に取り付ける方法としては、これ以外の種々の方法を用いることができる。
移動用ローラー２５２が、本発明の「第２のローラー」に対応する。
【００２５】
回転体２５０の移動用ローラー２５２を駆動するための駆動装置２８０は、図１４〜図１６に示されている。図１４は、駆動装置２６０の斜視図であり、図１５は、図１４のＸＶ線矢視図であり、図１６は、駆動装置２６０を取付部材２１４に取り付けた状態を示す図である。
駆動装置２８０は、本体部材２８１と、本体部材２８１に回転可能に取り付けられている回転軸２８３と、回転軸２８３に取り付けられている駆動用ローラー２８２と、駆動用ローラー２８２を回転させるハンドル２８４を有している。本体部材２８１には、前後方向（ｘ軸方向）に沿って取付穴２８１ａおよび２８１ｂが形成されている。また、駆動用ローラー２８２の外周には、移動用ローラー２５２の外周面と当接する当接面２８２が形成されている。
駆動装置２８０（本体部材２８１）は、固定部材２８５を本体部材２８１の取付穴２８１ａ（２８１ｂ）および取付部材２８１の取付穴２１４ｇ（２１４ｈ）に通すことによって取付部材２１４に取り付けられる。この時、駆動装置２８０（本体部材２８１）は、駆動用ローラー２８２の当接面２８２ａが、回転体２５０の移動用ローラー２５２の外周面に当接するように、取付部材２１４に取り付けられる。
ハンドル２８４を操作して駆動用ローラー２５２を回転させると、駆動用ローラー２５２の当接面２５２ａと、回転体２５０の移動用ローラー２５２の外周面に巻かれているシート２６０との間の摩擦力によって移動用ローラー２５２が回転する。駆動用ローラー２５２としては、駆動用ローラー２５２を回転させることによって移動用ローラー２５２を回転させることができる摩擦力を駆動用ローラー２５２とシート２６０の間に発生させることがきるローラーを用いるのが好ましい。例えば、ゴムで形成されたローラーや、当接面２５２ａに凹凸加工が施されているローラー等を用いることができる。
駆動装置２８０が、本発明の「駆動装置」に対応し、駆動用ローラー２６２が、本発明の「第５のローラー」に対応する。
【００２６】
シート２６０は、移動用ローラー２５２の外周面の一部に当接するように、天板１１１の上面１１１ａと下面１１１ｂの間に配置される。シート２６０の表面（上側の面）には、作業（例えば、文字を書く作業や絵を描く作業）が実行される材料２０が載置される。シート２６０としては、移動用ローラー２５２の外周面に当接した状態で、天板１１１の上面１１１ａを一方向（前後方向）に沿って移動することができる強度を有し、また、シート２６０の表面に載置される材料２０に対する作業の妨げにならないシートが用いられる。例えば、書道紙である材料２０に墨を用いて文字を書く場合には、毛せん（例えば、ウール８０％、レーヨン２０％の毛せん）やフェルト（例えば、ポリエステル１００％のフェルト）等により構成されるシート２６０が用いられる。
シート２６０の一方向（前後方向）に沿った両端部（天板１１１の上面１１１ａ側に配置される一方側の端部および天板１１１の下面１１１ｂ側に配置される他方側の端部）には、シート端部固定部材２６１および２６２が固定される。
シート端部固定部材２６１および２６２は、図１７〜図１９に示されている。図１７は、シート端部固定部材２６１および２６２の斜視図であり、図１８は、シート２６０の一方側の端部にシート端部固定部材２６１が固定されている状態を示しており、図１９は、シート２６０の他方側の端部にシート端部固定部材２６２が固定されている状態を示している。なお、本実施の形態のシート端部固定部材２６１および２６２は、同じ構成を有している。
本実施の形態では、シート端部固定部材２６１（２６２）は、長方形の板部材により構成されている端部固定部材２６１ａ（２６２ａ）と端部固定部材２６１ｂ（２６２ｂ）を備えている。また、端部固定部材２６１ｂ（２６２ｂ）の左右方向の長さＬ２および前後方向（一方向）の幅Ｗ２は、端部固定部材２６１ｂ（２６２ｂ）の左右方向の長さＬ１および前後方向（一方向）の幅Ｗ１より小さく設定されている（Ｌ１＞Ｌ２、Ｗ１＞Ｗ２）。
【００２７】
シート２６０の一方側の端部（天板１１１の上面１１１ａ側に配置される端部）は、図１８に示されているように、シート端部固定部材２６１の端部固定部材２６１ａと２６１ｂの間に挟持（固定）される。本実施の形態では、シート２６０の一方側の端部は、端部固定部材２６１ａの、前後方向（ｘ方向）に沿った後側（移動用ローラー２５２側）で、左右方向（ｙ方向）に沿った中央の箇所、すなわち、端部固定部材２６１ａの一部と端部固定部材２６１ｂの間に挟持されている。また、シート２６０の他方側の端部（天板１１１の下面１１１ｂ側に配置される端部）は、図１９に示されているように、シート端部固定部材２６２の端部固定部材２６２ａと２６２ｂの間に挟持される。本実施の形態では、シート２６０の他方側の端部は、端部固定部材２６２ａの、前後方向（ｘ方向）に沿った後側（移動用ローラー２５２側）で、左右方向（ｙ方向）に沿った中央の箇所、すなわち、端部固定部材２６２ａの一部と端部固定部材２６２ｂの間に挟持されている。
【００２８】
また、シート端部固定部材２６１（シート２６０の一方側の端部）とシート端部固定部材２６２（シート２６０の他方側の端部）の間には、図１に示されているように、接続部材２６３と張力調節部材２６６が接続される。
接続部材２６３は、移動用ローラー２４２の外周面の一部に当接するように、天板１１１の上面１１１ａ側と下面１１ｂ側の間に配置される。接続部材２６３としては、移動用ローラー２４２の外周面に当接した状態で、シート２６０とともに一方向に沿って移動することができる強度を有する帯状部材が用いられる。
張力調節部材２６６は、シート２６０の一方側の端部および他方側の端部を移動用ローラー２４２方向に引っ張る力を調節する。本実施の形態では、第２のシート端部固定部材２６２と張力調節部材２６６との間に設けられている紐２６７の長さを調節することによって張力を調節する張力調節部材が用いられている。なお、張力調節部材２６６としては、弾性部材等を用いた公知の種々の張力調節部材を用いることができる。
本実施の形態では、接続部材２６３の一方側の端部（天板１１１の上面１１１ａ側に配置される端部）は、取付部材２６４を介してシート端部固定部材２６１に接続され、接続部材２６３の他方側の端部（天板１１１の下面１１１ｂ側に配置される端部）は、取付部材２６８、張力調節部材２６６、紐２６７、取付部材２６５を介してシート端部固定部材２６２に接続される。ここで、取付部材２６４は、シート端部固定部材２６１の端部固定部材２６１ａの、シート２６０の一方側の端部を挟持していない箇所（本実施の形態では、前後方向に沿って、移動用ローラー２４２側の箇所）に接続され、取付部材２６５は、シート端部固定部材２６２の端部固定部材２６２ａの、シート２６０の他方側の端部を挟持していない箇所（本実施の形態では、前後方向に沿って、移動用ローラー２４２側の箇所）に接続される。
すなわち、本実施の形態では、シート端部固定部材２６１（２６２）では、移動用ローラー２５２側において、端部固定部材２６１ａ（２６２ａ）の一部と端部固定部材２６１ｂ（２６２ｂ）の間にシート２６０の一方側の端部が挟持(固定)され、移動用ローラー２４２側において、接続部材２６３の一方側の端部（他方側の端部）は、端部固定部材２６１ａ（２６２ａ）の、シートの一方側の端部を挟持（固定）してない箇所に接続される。
【００２９】
枠部材２２１および２２５やシート２６０の長さ（一方向に沿った長さ）は、シート２６０の表面に載置される材料２０の長さ等に応じて適宜設定される。例えば、作業が実行された材料２０が、移動用ローラー２４２と２５２の間に水平状態で配置される長さに設定される。
【００３０】
シート２６０の表面に載置される材料２０に対する作業を実行すると、シート２６０の表面が汚れることがある。例えば、書道紙に墨を用いて文字を書く作業を実行すると、シート２６０の表面が墨で汚れることがある。この場合には、シート２６０を交換する必要がある。本実施の形態では、シート２６０の一方側の端部および他方側の端部にシート端部固定部材２６１および２６２が着脱可能に固定されているため、シート２６０を容易に交換することができる。
また、移動用ローラー２５２の外周面の一部に当接するようにシート２６０を配置し、移動用ローラー２４２の外周面の一部に当接するように接続部材２６３を配置しているため、従来技術のように、シート２６０を移動用ローラー２４２と２５２の間に無端帯状に配置した場合に比べて、短いシート２６０を用いることができる。
【００３１】
シート２６０の表面に載置される材料２０に対して作業を実行する際には、材料２０をシート２６０の表面に保持する必要がある。例えば、材料２０に対して墨を用いて文字を書く際には、材料２０の一つの端部（上端部）がシート２６０の表面に保持される。
材料２０の一つの端部をシート２６０の表面に保持する方法としては、例えば、シート２６０と材料２０を挟んで両側に、磁石からなる一対の保持部材を配置し、一対の保持部材によって材料２０の一つの端部をシート２６０の表面に保持する方法や、シート端部固定部材２６１を磁性材料により形成し、磁石からなる保持部材３０（図１参照）とシート端部固定部材２６１によって材料２０の一つの端部を挟持することによって材料２０の一つの端部をシート２６０の表面に保持する方法等を用いることができる。ここで、前者の方法を用いると、シート２６０が天板１１１の上面１１１ａに沿って一方向（前後方向）に移動する際に、シート２６０の裏面（天板１１１側の面）に配置される保持部材が天板１１１に当接するため、好適には、後者の方法が用いられる。また、後者の方法を用いる場合、シート端部固定部材２６１の端部固定部材２６１ａと２６１ｂを同じ大きさに形成し、シート２６０の一方側の端部を端部固定部材２６１ａと２６１ｂの間に挟持するとともに、接続部材２６３の一方側の端部を端部固定部材２６１ａと２６１ｂに接続すると、端部接続部材２６１ｂに保持部材３０を配置する際に、接続部材２６３の一方側の端部を端部固定部材２６１ａと２６１ｂに接続する部材（例えば、図１８に示されている取付部材２６４を端部固定部材２６１ａと２６１ｂに接続する部材）が邪魔になる。
本実施の形態では、シート端部固定部材２６１の端部固定部材２６１ａと２６１ｂを異なる大きさに形成し、シート２６０の一方側の端部を端部固定部材２６１ａの一部と端部固定部材２６１ｂの間に挟持し、接続部材２６３の一方側の端部（取付部材２６４）を端部固定部材２６１ａの、シート２６０の一方側の端部を挟持していない箇所に接続しているため、端部固定部材２６１ｂに保持部材３０を配置する際に、接続部材２６３の一方側の端部（取付部材２６４）を端部固定部材２６１ａに接続する部材が邪魔になるのを防止することができる。
なお、案内部材２７１および２７２も、同様の方法でシート端部固定部材２６１の両側に取り付けるのが好ましい。すなわち、案内部材２７１（２７２）は、端部固定部材２６１ａの、枠部材２２１（２２５）に対向する側において、シート２６０の一方側の端部を挟持してない箇所に取り付けるのが好ましい。これにより、端部固定部材２６１ｂに保持部材３０を配置する際に、案内部材２７１（２７２）を端部固定部材２６１ａに取り付ける部材が邪魔になるのを防止することができる。
【００３２】
シート２６０の両端部に固定されるシート端部固定部材２６１および２６２の少なくとも一方には、シート２６０（シート端部固定部材２６１、２６２）の移動を案内する案内部材が取り付けられる。
すなわち、シート端部固定部材２６１（端部固定部材２６１ａ）の枠部材２２１側（左右方向に沿って右側）には、案内部材２７１が取り付けられ、枠部材２２５側（左右方向に沿って左側）には、案内部材２７２が取り付けられている。
案内部材２７１および２７２は、図１８に示されている。案内部材２７１（２７２）は、前後方向から見た断面がＬ字形を有する本体部と、本体部に取り付けられている案内ローラー２７１ａ（２７２ａ）を有している。案内部材２７１（本体部）は、案内ローラー２７１ａが枠部材２２１の外面に沿って転動可能となるように、シート端部固定部材２６１（端部固定部材２６１ａ）の枠部材２２１側に取り付けられる。また、案内部材２７２（本体部）は、案内ローラー２７２ａが枠部材２２５の外面に沿って転動可能となるように、シート端部固定部材２６１（端部固定部材２６１ａ）の枠部材２２５側に取り付けられる。また、本実施の形態では、案内ローラー２７１ａ（２７２ａ）は、枠部材２２１（２２５）の外面のうち、枠部材２２１と２２５が対向する側と反対側の外面を転動するように構成されている。
なお、案内部材２７１（２７２）のいずれかの面が、枠部材２２１（２２５）の外面と当接する場合には、案内部材２７１（２７５）の当該面に、布やゴム等の摩擦力低減部材を取り付けあるいは摩擦力低減剤を塗布するのが好ましい。
【００３３】
次に、本実施の形態の作業机１０を用いて、長い書道紙に墨を用いて文字を書く作業を行う動作を説明する。なお、シート端部固定部材２６１（端部固定部材２６１ａおよび２６１ｂ）と２６２（端部固定部材２６２ａおよび２６２ｂ）は、磁性材料により形成されているものとする。例えば、一般構造用圧延鋼材ＳＳ４００により形成される。
家庭や作業所等に設けられている机１００に、シート移動装置２００の各構成部材を着脱可能に取り付ける。
そして、書道紙２０を、磁石からなる保持部材３０とシート端部固定部材２６１の端部固定部材２６１ｂとの間に書道紙２０の一つの端部を挟持（保持）した状態で、シート２６０の表面に載置する。
この状態で、作業者は、机１００の後側において、机１００の天板１１１の上面上で（天板１１１を作業台として）書道紙２０に文字を書く。この時、必要に応じて、ハンドル２８３を操作し、駆動用ローラー２８２を介して移動用ローラー２５２を回転させることによって、シート２６０およびシート２６０の表面に載置されている書道紙２０を一方向に沿って移動させる。
【００３４】
以上のように、本実施の形態の作業机１０は、家庭や作業所等に設けられている机１００にシート移動装置２００を取り付けることによって構成される。これにより、作業机の不使用時には、シート移動装置２００を机１００から取り外して収納すればよいため、収納スペースは小さくてすむ。なお、シート移動装置２００を取り外した机１００は、通常の用途に使用することができる。また、作業机２００が必要な場所にシート移動装置２００のみを持ち運べばよいため、持ち運びが容易である。
また、移動用ローター２４２と２５２の間に、シート２６０と接続部材２６３を配置しているため、シートを容易に交換することができるとともに、短いシートを用いることができる。
また、シートの両端部に固定されるシート端部固定部材２６１および２６２の少なくとも一方、好適には、天板１１１の上面１１１ａ側に配置される端部に固定されるシート端部固定部材２６１を端部固定部材２６１ａと２６１ｂにより構成し、端部固定部材２６１ａの一部と端部固定部材２６１ｂの間にシート２６０の端部を挟持（固定）し、接続部材２６３を、端部固定部材２６１ａの、シート２６０の端部を挟持（固定）している箇所を除く領域に接続しているため、材料２０の一つの端部をシート２６０の表面上に容易に保持することができる。
【００３５】
本発明は、実施の形態で説明した構成に限定されず、種々の変更、追加、削除が可能である。
実施の形態では、机１００とシート移動装置２００により構成される作業机１０について説明したが、本発明は、机１００に取り付けられるシート移動装置２００として構成することもできる。
机１００の天板１１１の一つの側面１１１ｃ側において、枠部材２２１および２２５を、取付部材２１１、２１２、枠部材２１８を介用いて机１００の天板１１１に取り付けたが、枠部材２２１および２２５を天板１１１に取り付ける方法はこれに限定されない。
枠部材２２１および２２５は、１つあるいは複数の部分枠部材により構成することができる。
枠部材２１８、２２１および２２５の形状は、適宜変更可能である。
移動用ローラー２４２を枠部材２２１と２２５の間に回転可能に取り付ける方法としては、種々の方法を用いることができる。
机１００の天板１１１の他の側面１１１ｄ（一方向に沿って一つの側面１１１ｃに対向する他の側面）側において、取付部材２１３および２１４を用いて、移動用ローラー２５２を天板１１１に回転可能に取り付けたが、移動用ローラー２５２を天板１１１に回転可能に取り付ける方法はこれに限定されない。
シートの両端部に固定されるシート端部固定部材２６１および２６２の構成は種々変更可能である。また、シートの両端部に固定されるシート端部固定部材２６１および２６２を２つの端部固定部材２６１ａ（２６２ａ）と２６１ｂ（２６２ｂ）により構成したが、少なくとも、シート２６０の、天板１１１の上面１１１ｂ側に配置される端部に固定されるシート端部固定部材２６１が２つの端部固定部材２６１ａと２６１ｂにより構成されていればよい。また、シート端部固定部材２６１（２６２）を構成する端部固定部材２６１ａ（２６２ａ）と２６１ｂ（２６２ｂ）の形状や大きさは種々変更可能であり同じ大きさでもよい。また、シート端部個知恵部材２６１および２６２は、１つの端部固定部材により構成することもできる。さらに、シート端部固定部材２６１および２６２は省略することもできる。
シート２６０の一方側の端部と他方側の端部の間に、接続部材２６３と張力調節部材２６６を接続したが、張力調節部材２６６は省略することもできる。
移動用ローラー２５２を回転させてシート２６０を一方向（前後方向）に沿って移動させるための駆動装置２６０としては、種々の構成の駆動装置を用いることができる。また、駆動装置２６０は省略することもできる。
本発明のシート移動装置２００および作業机１０は、実施の形態で説明した各構成の１つあるいは適宜選択した複数を組み合わせて構成することができる。
【００３６】
なお、前述した特許文献１に記載されている作業机は、駆動ローラーと柔道ローラーの間にシートが無端状に配置されているため、シートを容易に交換することができない。
そこで、本発明は、シートを容易に交換することができる作業机を構成する技術を提供することを目的とすることができる。
この目的を達成するための本発明は、以下のように構成することができる。
「（態様１）第１の枠部材（２２１）と、第２の枠部材（２２５）と、作業台（１１１）と、第１のローラー（２４２）と、第３のローラー（２５２）と、第１のシート端部固定部材（２６１）と、第２のシート端部固定部材（２６２）と、シート（２６０）と、接続部材（２６３）を備え、
前記第１の枠部材（２２１）と前記第２の枠部材（２２５）は、一方向（前後方向）に沿って平行（略平行を含む）に配置され、
前記作業台（１１１）は、前記第１の枠部材（２２１）と前記第２の枠部材（２２５）の間に配置され、
前記第１のローラー（２４２）は、前記第１の枠部材（２２１）と前記第２の枠部材（２２５）の間で、前記一方向に沿った一方側（前川）に回転可能に配置されれ、
前記第２のローラー（２５２）は、前記第１の枠部材（２２１）と前記第２の枠部材（２２５）の間で、前記一方向に沿った他方側（後側）の端部に回転可能に配置され、
前記シート（２６０）は、前記第２のローラーの外周面の一部に当接するように、前記作業台（１１１）の上面（１１１ａ）側と下面（１１１ｂ）側の間に配置され、
前記接続部材（２６３）は、前記第１のローラー（２４２）の外周面の一部に当接するように、前記作業台（１１１）の上面（１１１ａ）側に配置される前記シート（２６０）の一方側の端部と前記作業台（１１１）の下面（１１１ｂ）側に配置される前記シート（２６０）の他方側の端部の間に接続され、
前記第１のシート端部固定部材（２６１）は、前記シート（２６０）の前記一方側の端部に固定され、
前記第２のシート端部固定部材（２６２）は、前記シート（２６０）の前記他方側の端部に固定され、
前記第１のシート端部固定部材（２６１）は、第１の端部固定部材（２６１ａ）と第２の端部固定部材（２６１ｂ）により構成され、
前記シート（２６０）の前記一方側の端部は、前記第１の端部固定部材（２６１ａ）の一部と前記第２の端部固定部材（２６１ｂ）の間に挟持され、
前記接続部材（２６２）は、前記第１の端部固定部材（２６１ａ）の、前記一部を除く箇所と、前記第２のシート端部固定部材（２６２）の間に接続されることを特徴とする作業机（１０）。」として構成することができる。
また、「（態様２）前記第１のシート端部固定部材（２６１）の両端部には、前述した第１の案内部材（２７１）と第２の案内部材（２７２）が取り付けられていることを特徴とする作業机。」として構成することもできる。
【符号の説明】
【００３７】
１０  作業机
２０  材料（書道紙、絵画紙）
３０  保持部材
１００  机
１１１  天板
１１１ａ  上面
１１１ｂ  下面
１１２、１１３、１１４、１１５  脚部材
２００  シート移動装置
２１１、２１２、２１３、２１４  取付部材（第１〜第４の取付部材）
２１１ａ、２１３ａ、２１４ａ  凹部
２１１ｂ、２１１ｃ、２１３ｂ、２１３ｃ、２１４ｂ、２１４ｃ、２１４ｇ、２１４ｈ、２８１ｃ、２１８ｅ、２２２ｂ、２２２ｃ、２２３ｃ、２２３ｂ、２２４ａ、２２４ｂ、２２６ｂ、２２６ｃ、２２７ｂ、２２７ｃ、２２８ａ、２２８ｂ、２４１ｃ、２４１ｅ、２５１ｄ、２８１ａ、２８１ｂ、  取付穴
２１６、２１９、２４５、２５５、２８５  固定部材
２１８  枠部材（第３の枠部材）
２１８ｂ、２１８ｄ、２４１ｂ、２４１ｄ、２５１ｂ、２５１ｄ  端部
２２１、２２５  枠部材（第１の枠部材、第２の枠部材）
２２２、２２３、２２６、２２７  部分枠部材
２２２ａ、２２３ａ、２２６ａ、２２７ａ  係止溝
２２４、２２８  接続補助部材
２３１、２３２  支持部材（第１の支持部材、第２の支持部材）
２３１ｂ、２３１ｃ、２３２ｂ、２３２ｃ  取付補助部材
２３３  補強部材
２３４、２３５  補助枠部材
２３６、２３７  補助台支持部材
２３８  補助台
２４０、２５０  回転体
２４１、２５１  ローラー支持部材
２４２、２５２  移動用ローラー（第１のローラー、第２のローラー）
２６１、２６２  シート端部固定部材（第１のシート端部固定部材、第２のシート端部固定部材）
２６１ａ、２６１ｂ、２６２ａ、２６２ｂ  端部固定部材（第１〜第４の端部固定部材）
２６２  接続部材
２６６  張力調節部材
２６７  紐
２７１、２７２  案内部材（第１の案内部材、第２の案内部材）
２７１ａ、２７２ａ  案内用ローラー（第３のローラー、第４のローラー）
２８０  駆動装置
２８１  本体部材
２８２  駆動用ローラー（第５のローラー）
２８２ａ  当接面
２８３  ハンドル
【図１】
2012239603.tif 000003
【図２】
2012239603.tif 000004
【図３】
2012239603.tif 000005
【図４】
2012239603.tif 000006
【図５】
2012239603.tif 000007
【図６】
2012239603.tif 000008
【図７】
2012239603.tif 000009
【図８】
2012239603.tif 000010
【図９】
2012239603.tif 000011
【図１０】
2012239603.tif 000012
【図１１】
2012239603.tif 000013
【図１２】
2012239603.tif 000014
【図１３】
2012239603.tif 000015
【図１４】
2012239603.tif 000016
【図１５】
2012239603.tif 000017
【図１６】
2012239603.tif 000018
【図１７】
2012239603.tif 000019
【図１８】
2012239603.tif 000020
【図１９】
2012239603.tif 000021